(57)【要約】      （修正有） 【課題】振って使用することができる強度を備え、低コストに製造することができると共に、空気の吹込み操作が容易な携帯型照明装置用装飾具を提供する。【解決手段】透光性を有する細長状軟質樹脂シート１１を２枚重ね合わせ、長さ方向一端部側に開口部１３を形成し開口部以外の周縁を接合させた内側カバー部１５と、内側カバー部の厚さ方向両側外方より内側カバー部と同一形状及び同一寸法の透光性の軟質樹脂シートを２枚重ね合わせて配置し、周縁１４を内側カバー部に接合させた外側カバー部１６とを備えたカバー部本体１７を有し、外側カバー部には、空気孔部１８及び栓部１９が設けられており、内側カバー部と外側カバー部の間に空気を吹き込むことにより、内側カバー部と外側カバー部との間に形成される一対の空隙部２０に空気が充填されて筒状に形成され、開口部には携帯型照明装置２１を挿入することができるように構成され、内側カバー部１５には、一対の空隙部２０を互いに連通する連通孔部が設けられている。【選択図】図３
0003198483.tif 000002
【実用新案登録請求の範囲】
【請求項１】
透光性を有する細長状軟質樹脂シートを２枚重ね合わせ、長さ方向一端部側に開口部を形成し前記開口部以外の周縁を接合させた内側カバー部と、前記内側カバー部の厚さ方向両側外方より前記内側カバー部と同一形状及び同一寸法の透光性の軟質樹脂シートを２枚重ね合わせて配置し、周縁を前記内側カバー部に接合させた外側カバー部とを備えたカバー部本体を有し、
前記外側カバー部には、空気孔部及び栓部が設けられており、前記内側カバー部と前記外側カバー部の間に空気を吹き込むことにより、前記内側カバー部と前記外側カバー部との間に形成される一対の空隙部に空気が充填されて筒状に形成され、前記開口部には携帯型照明装置を挿入することができるように構成された携帯型照明装置用装飾具であって、
前記内側カバー部には、前記一対の空隙部を互いに連通する連通孔部が設けられていることを特徴とする携帯型照明装置用装飾具。
【請求項２】
前記開口部は、前記内側カバー部及び前記外側カバー部の基端部に形成されていると共に、前記空気孔部及び前記栓部は外側カバー部の一方の側面の前記基端部側に形成されており、空気を吹き込まれた場合には、全体略紡錘形状に形成されることを特徴とする請求項１に記載の携帯型照明装置用装飾具。
【請求項３】
前記開口部は、前記内側カバー部及び前記外側カバー部の基端部に形成されていると共に、前記空気孔部及び前記栓部は外側カバー部の一方の側面の前記基端部側に形成されており、前記内側カバー部及び前記外側カバー部は、平面略細長板形状に形成され、前記基端部には、前記開口部端縁の幅寸法よりも大きい幅寸法に形成された長さ方向内方部を有すると共に、前記長さ方向内方部から先端部に向うに連れて小さい幅寸法に形成されていることを特徴とする請求項１に記載の携帯型照明装置用装飾具。
【請求項４】
前記外側カバー部は、表面がすり硝子状に形成された透光性の軟質樹脂シートにより形成されていることを特徴とする請求項２又は３の何れか１項に記載の携帯型照明装置用装飾具。
【請求項５】
前記連通孔部は前記内側カバー部の先端部に形成されていると共に前記連通孔部周縁部は互いに接合されており、前記内側カバー部を構成する前記軟質樹脂シートの前記長さ方向内方部は、所定の色に着色を施した透光性を有する軟質樹脂シートにより形成されていることを特徴とする請求項３項に記載の携帯型照明装置用装飾具。
【請求項６】
前記外側カバー部には、文字、図柄等の装飾が設けられていることを特徴とする請求項５に記載の携帯型照明装置用装飾具。
【考案の詳細な説明】
【技術分野】
【０００１】
本考案は、携帯型照明装置に取付ける装飾具に関する。
【背景技術】
【０００２】
従来より、スポーツ観戦やコンサートの会場においては、選手や出演者を応援するための応援具が用いられており、例えば、硬質樹脂により棒状に形成された所謂ペンライトが利用されている。
【０００３】
一般に、多くのスポーツ観戦やコンサートの会場においては、客席が密集しており、硬質のペンライトを振って応援する場合、他の観客に接触して怪我をさせてしまう心配があった。
【０００４】
このような事態を回避しうる応援具として、特許文献１のような応援具が提案されている。特許文献１の応援具は、軟質シート材を用いて棒状中空体の応援具本体２を形成し、応援時には、空気孔２３より空気を入れて応援具本体２を膨らませた状態とし、発光させた棒状発光体３を出入口２１より嵌装孔２２に嵌装するように形成されている。
【０００５】
特許文献１の応援具は、周縁に空気層を備えていることから、他の観客に接触してしまった場合であっても、怪我することなく安全である。しかしながら、特許文献１の応援具は、図１にあるような円筒形状の棒状中空体を成形することから製造工程は複雑になってしまう。より簡単な工程で低コストに製造することができる応援具が望まれていた。
【０００６】
そこで、簡単な工程で製造しうるものとして、特許文献２の表示面拡大カバーが提案されている。特許文献２の表示面拡大カバーは、２枚のシートを重ねて周縁を溶着し、空気吸排口を設けた２層シートを２組用意し、一端に開口部を設けて２組の２層シートの周縁を互いに溶着して形成されている。
【０００７】
特許文献２の表示面拡大カバーは、同形状の４枚のシートと空気吸排口とから形成されており、互いに溶着することにより、簡単な工程で低コストに製造することが可能である。
【０００８】
しかしながら、特許文献２の表示面拡大カバーは、２つの空隙部が独立して形成されていることから、使用する際には、其々の空隙部に通ずる２つの空気吸排口から空気を吹き込んで膨らます必要があった。
【０００９】
例えば、応援具として利用される装飾具の場合、コンサート会場までは折り畳んだ状態で持ち運び、コンサート会場において膨らませて使用される。従って、前述のように使用する際に手間となる操作は、出来るだけ簡略化することが望ましい。
【特許文献１】登録実用新案第３０９９８３２号公報
【特許文献２】公開特許第２００２−１７５７０１号公報
【考案の開示】
【考案が解決しようとする課題】
【００１０】
そこで、本考案は、このような従来の要請に基づくものであって、振って使用することができる強度を備え、低コストに製造することができると共に、空気の吹込み操作が容易な携帯型照明装置用装飾具を提供する。
【課題を解決するための手段】
【００１１】
前記課題を解決するために、請求項１に記載の携帯型照明装置用装飾具にあっては、透光性を有する細長状軟質樹脂シートを２枚重ね合わせ、長さ方向一端部側に開口部を形成し前記開口部以外の周縁を接合させた内側カバー部と、前記内側カバー部の厚さ方向両側外方より前記内側カバー部と同一形状及び同一寸法の透光性の軟質樹脂シートを２枚重ね合わせて配置し、周縁を前記内側カバー部に接合させた外側カバー部とを備えたカバー部本体を有し、前記外側カバー部には、空気孔部及び栓部が設けられており、前記内側カバー部と前記外側カバー部の間に空気を吹き込むことにより、前記内側カバー部と前記外側カバー部との間に形成される一対の空隙部に空気が充填されて筒状に形成され、前記開口部には携帯型照明装置を挿入することができるように構成された携帯型照明装置用装飾具であって、前記内側カバー部には、前記一対の空隙部を互いに連通する連通孔部が設けられていることを特徴とする。
【００１２】
従って、請求項１に記載の携帯型照明装置用装飾具にあっては、カバー部本体は、透光性を有する細長状軟質樹脂シートを２枚重ね合わせ、長さ方向一端部側に開口部を形成し前記開口部以外の周縁を接合させた内側カバー部と、前記内側カバー部の厚さ方向両側外方より前記内側カバー部と同一形状及び同一寸法の透光性の軟質樹脂シートを２枚重ね合わせて配置し、周縁を前記内側カバー部に接合させた外側カバー部とを備えている。各軟質樹脂シートの周縁は開口部以外を接合されていることから、振られても破損しにくい強度を備える。また、例えば、全体を立体形状となるように接合して組み上げていく複雑な製造工程は不要である。
【００１３】
カバー部本体を形成する内側カバー部は、透光性を有する細長状軟質樹脂シートを２枚重ね合わせ、長さ方向一端部側に開口部を形成し前記開口部以外の周縁を接合させて形成され、前記開口部には携帯型照明装置を挿入することができるように構成されていることから、全体視が略厚手のシート状に形成されており、開口部を拡開し、携帯型照明装置の発光部をカバー部本体に挿入することができる。
【００１４】
また、前記内側カバー部には、前記一対の空隙部を互いに連通する連通孔部が設けられていることから、空気孔より空気を吹き込むことにより、一方の空隙部に空気が充填されると共に、連通孔部を通じて他方の空隙部へと空気が充填されて、空気の内圧により筒状に形成される。
【００１５】
携帯型照明装置の発光部をカバー部本体の開口部より挿入した状態において空気孔より一対の空隙部へ空気を吹き込むことにより、内側カバー部は一対の空隙部の内圧により、筒状に形成されたカバー部本体の内側に向って膨出する。従って、携帯型照明装置の発光部は、空気圧によって膨出した内側カバー部により径方向に挟持されることにより固定されるため、携帯型照明装置の発光部は、開口部の直径よりも小さい径寸法に形成されていれば、挿入固定することができる。
【００１６】
請求項２に記載の携帯型照明装置用装飾具にあっては、前記開口部は、前記内側カバー部及び前記外側カバー部の基端部に形成されていると共に、前記空気孔部及び前記栓部は外側カバー部の一方の側面の前記基端部側に形成されており、空気を吹き込まれた場合には、全体略紡錘形状に形成されることを特徴とする。
【００１７】
請求項３に記載の携帯型照明装置用装飾具にあっては、前記開口部は、前記内側カバー部及び前記外側カバー部の基端部に形成されていると共に、前記空気孔部及び前記栓部は外側カバー部の一方の側面の前記基端部側に形成されており、前記内側カバー部及び前記外側カバー部は、平面略細長板形状に形成され、前記基端部には、前記開口部端縁の幅寸法よりも大きい幅寸法に形成された長さ方向内方部を有すると共に、前記長さ方向内方部から先端部に向うに連れて小さい幅寸法に形成されていることを特徴とする。
【００１８】
従って、請求項３に記載の携帯型照明装置用装飾具にあっては、前記基端部は、前記開口部端縁の幅寸法よりも大きい幅寸法に形成された長さ方向内方部を有しているため、一対の空隙部に空気が充填されて筒状に形成された際には、長さ方向内方部は内方端部に向って径大に形成され、長さ方向内方部から先端部までの重量をより大きい断面積で支えることができるため、カバー部本体が長さ方向内方部において折れ曲がることを抑制できる。
【００１９】
また、前記内側カバー部及び前記外側カバー部は、前記長さ方向内方部から先端部に向うに連れて小さい幅寸法に形成されていることから、長さ方向一端部に固定された携帯型照明装置より発せられた光を外側カバー部の長さ方向内方部から先端部まで間の全体に入光させることができる。
【００２０】
請求項４に記載の携帯型照明装置用装飾具にあっては、前記外側カバー部は、表面がすり硝子状に形成された透光性の軟質樹脂シートにより形成されていることを特徴とする。
【００２１】
従って、請求項４に記載の携帯型照明装置用装飾具にあっては、前記外側カバー部は、表面がすり硝子状に形成された透光性の軟質樹脂シートにより形成されていることから、外側カバー部に到達した光は、拡散される。
【００２２】
請求項５に記載の携帯型照明装置用装飾具にあっては、前記連通孔部は前記内側カバー部の先端部に形成されていると共に前記連通孔部周縁部は互いに接合されており、前記内側カバー部を構成する前記軟質樹脂シートの前記長さ方向内方部は、所定の色に着色を施した透光性を有する軟質樹脂シートにより形成されていることを特徴とする。
【００２３】
従って、請求項５に記載の携帯型照明装置用装飾具にあっては、前記内側カバー部を構成する前記軟質樹脂シートの前記長さ方向内方部は、所定の色に着色を施した透光性を有する軟質樹脂シートにより形成されていることから、携帯型照明装置の発光部を開口部よりカバー部本体内方に挿入して、空気を充填した際には、着色を備えた長さ方向内方部が、携帯型照明装置の発光部の周縁及び前方に膨出して覆われる。
【００２４】
請求項６に記載の携帯型照明装置用装飾具にあっては、前記外側カバー部には、文字、図柄等の装飾が設けられていることを特徴とする。
【考案の効果】
【００２５】
請求項１に記載の携帯型照明装置用装飾具にあっては、全体を立体形状に接合して組み上げていく複雑な製造工程が不要であることから、低コストに製造することができる。また、空気を吹き込んで筒状に形成した場合に、例えば、カバー部本体を振って使用した場合であっても破損しにくい。
【００２６】
空気孔より空気を吹き込むことにより、一方の空隙部に空気が充填されると共に、連通孔部を通じて他方の空隙部へと空気が充填されて筒状に形成することができることから、其々の空隙部に個別に空気を吹き込む必要がなく、空気の吹き込み操作が容易である。
【００２７】
また、携帯型照明装置の発光部は、空気圧によって膨出した内側カバー部により径方向に挟持されることにより固定されるため、携帯型照明装置の発光部は、開口部の直径よりも小さい径寸法に形成されていれば、挿入固定することができ、利用者の各家庭にある様々な大きさ及び形状の携帯型照明装置に装着することができる。
【００２８】
請求項２及び請求項３に記載の携帯型照明装置用装飾具にあっては、前記開口部は、前記内側カバー部及び前記外側カバー部の基端部に形成されていると共に、前記空気孔部及び前記栓部は外側カバー部の一方の側面の前記基端部側に形成されていることから、前記内側カバー部及び前記外側カバー部の基端部以外の箇所は自由にデザインすることができる。
【００２９】
請求項３に記載の携帯型照明装置用装飾具にあっては、一対の空隙部に空気が充填された際に、長さ方向内方部において、カバー部本体が折れ曲がることを抑制できるため、略細長長方形状に形成された場合であっても、折れ曲がることなく、全体形状を保持して装飾性を維持することができる。
【００３０】
また、長さ方向一端部に固定された携帯型照明装置より発せられた光を外側カバー部の長さ方向内方部から先端部まで間の全体に入光させることができる。
従って、棒状の発光部を備え、周方向に光を発することができるペンライトではなく、例えば、ＬＥＤ懐中電灯のように、カバー部本体の長さ方向に沿って直進性の高い光を照射する携帯型照明装置を用いた場合でも、外側カバー部の長さ方向内方部から先端部まで全体を光らせることができる。
【００３１】
請求項４に記載の携帯型照明装置用装飾具にあっては、外側カバー部に到達した光は拡散されることから、開口部より携帯型照明装置の発光部をカバー部本体内方に挿入し、空気孔より空気を充填した後、発光部を点灯させた際に、例えば、カバー部本体が全体長尺に形成された場合であっても、カバー部本体全体を均一に光らせることができ、興趣に富んだ装飾性を備える。
【００３２】
請求項５に記載の携帯型照明装置用装飾具にあっては、前記連通孔部は前記内側カバー部の先端部に形成されていることから、内側カバー部間に形成される携帯型照明装置を導入可能な空間を大きく確保することができ、例えば、棒状発光部を備えたペンライト等にも取付けて使用することができる。
【００３３】
内側カバー部の先端部に形成された連通孔部の周縁部は互いに接合されていることから、一対の空隙部を連結するための他の部材は不要であり、低コストに製造することができる。
【００３４】
また、携帯型照明装置の発光部を開口部よりカバー部本体内方に挿入して、空気を充填した際には、着色を備えた長さ方向内方部が、携帯型照明装置の発光部の周縁及び前方に膨出して覆われることから、発光部を点灯させた際に、光は、着色された長さ方向内方部を通過して着色光に変換される。従って、カバー部本体を所定の着色光に点灯させることができる。
【００３５】
前記外側カバー部には、文字、図柄等の装飾が設けられていることから、例えば、コンサートの出演者の名称を表示することにより、志向性のある応援グッズとすることができる。
【図面の簡単な説明】
【００３６】
【図１】図１は、本考案に係る携帯型照明装置用装飾具の第一の実施の形態を示し、（ａ）及び（ｂ）は其々、２枚の透光性の軟質樹脂シートから内側カバー部を形成する工程を示した斜視図である。
【図２】図２は、本考案に係る携帯型照明装置用装飾具の第一の実施の形態を示し、図１（ｂ）の内側カバー部に外側カバー部を接合してカバー部本体を形成する工程を示した斜視図である。
【図３】図３は、本考案に係る携帯型照明装置用装飾具の第一の実施の形態を示し、開口部より携帯型照明装置の発光部を挿入し、空気を充填した状態を示した斜視図である。
【図４】図４は、本考案に係る携帯型照明装置用装飾具の第一の実施の形態を示し、図２のＡ−Ａ矢視断面図である。
【図５】図５は、本考案に係る携帯型照明装置用装飾具の第二の実施の形態を示した斜視図である。
【考案を実施するための最良の形態】
【００３７】
以下、本考案に係る携帯型照明装置用装飾具を第一の実施の形態に基づき、図面を参照して詳細に説明する。
【００３８】
図３に示すように、本実施の形態に係る携帯型照明装置用装飾具１０の構成は、内側カバー部１５及び外側カバー部１６により形成されており、外側カバー部１６には、空気孔部１８及び栓部１９が設けられている。
【００３９】
携帯型照明装置用装飾具１０は、内側カバー部１５と外側カバー部１６の間に空気を吹き込むことにより、内側カバー部１５と外側カバー部１６との間に形成される一対の空隙部２０，２０に空気が充填されて筒状に形成され、開口部１３には携帯型照明装置２１を挿入することができるように構成されている。本実施の形態においては、携帯型照明装置２１は円筒形状の懐中電灯であり、発光部３３が挿入されている。
【００４０】
図１（ａ）及び（ｂ）に示すように、本実施の形態に係る携帯型照明装置用装飾具１０を構成する内側カバー部１５は、透光性を有する細長状の軟質樹脂シート１１，１１を２枚重ね合わせ、長さ方向一端部１２側に開口部１３を形成し開口部１３以外の周縁１４を溶着により接合させて形成されている。
【００４１】
また、図２に示すように、内側カバー部１５の厚さ方向両側外方より内側カバー部１５と同一形状及び同一寸法の透光性の軟質樹脂シート１１，１１を２枚重ね合わせて配置し、周縁１４を前記内側カバー部１５に溶着により接合させた外側カバー部１６とを備えたカバー部本体１７が形成されている。本実施の形態においては、軟質樹脂シート１１は、軟質塩化ビニルシートを用いている。
【００４２】
図２及び図３に示すように、空気孔部１８及び栓部１９は、可撓性樹脂で形成され、空気孔部１８は円筒状に外方へ突出して設けられており、空気孔部基端部２８は、外側カバー部１６に溶着されている。
【００４３】
栓部１９は空気孔部１８と嵌合するように形成されており、空気孔部１８の上端部に連接されている。栓部１９には、空気孔部１８と嵌合した状態においても指で把持して開封できるよう突出して形成されたつまみ部２９が設けられている。
【００４４】
図１から図３に示すように、内側カバー部１５には、一対の空隙部２０，２０を互いに連通する円形の連通孔部２２が設けられている。
【００４５】
本実施の形態においては、開口部１３は、内側カバー部１５及び外側カバー部１６の基端部２３に形成されていると共に、空気孔部１８及び栓部１９は外側カバー部１６の一方の側面２４の基端部２３側に形成されている。
【００４６】
内側カバー部１５及び外側カバー部１６は、平面略細長板形状に形成され、内側カバー部１５及び外側カバー部１６は、開口部１３端縁の幅寸法よりも、内方に向かって徐々に大きい幅寸法に形成された平面略長方形状の長さ方向内方部２５と、長さ方向内方部２５に連接され、先端部２６に向うに連れて小さい幅寸法に形成された本体部３５，３６とを有している。
【００４７】
外側カバー部１６を形成する軟質樹脂シート１１，１１は、表面がすり硝子状に形成された透光性の軟質樹脂シートにより形成されている。
【００４８】
連通孔部２２は、内側カバー部１５を形成する透光性の軟質樹脂シート１１，１１からなる本体部３５の先端部２６に其々設けられ、連通孔部２２の周縁部２７は互いに接合されている。
【００４９】
内側カバー部１５を形成する軟質樹脂シート１１，１１の長さ方向内方部２５は、台形状に形成された青色に着色を施した透光性を有する軟質樹脂シートにより形成されている。
【００５０】
また、内側カバー部１５を形成する軟質樹脂シート１１，１１の本体部３５は、着色の施されていない透明な軟質樹脂シートにより形成されており、互いに溶着されている。外側カバー部１６の一方の側面２４には、外側カバー部１６の長さ方向中央近傍に星の装飾が設けられている。
【００５１】
以下、本実施の形態に係る携帯型照明装置用装飾具１０の作用について、図面を参照して詳細に説明する。
【００５２】
本実施の形態に係る携帯型照明装置用装飾具１０は、以上のように、軟質樹脂シート１１，１１，１１，１１を重ねて開口部１３以外を溶着し、内側カバー部１５，１５の先端部２６に連通孔部２２を形成し、周縁部２７を溶着することで形成することができ、製造工程は簡素なものとすることができる。
【００５３】
本実施の形態に係る携帯型照明装置用装飾具１０を使用する際には、図３に示すように、基端部２３に形成された開口部１３より、カバー部本体１７内方に懐中電灯２１の発光部３３を挿入する。
【００５４】
続いて、つまみ部２９を指で把持して栓部１９を取外し、空気孔部１８より空気を吹き込むことにより、内側カバー部１５と外側カバー部１６の間に形成される一対の空隙部２０，２０に空気が充填され、膨張する。
【００５５】
この際、空気孔部１８より吹き込まれた空気は、一方の空隙部２０に充填されると共に、連通孔部２２を通じて、他方の空隙部２０へと移動し、カバー部本体１７全体が円筒形状に膨張する。
【００５６】
図３及び図４に示すように、膨張によって、内側カバー部１５，１５は、長さ方向内方部２５から先端部２６にかけて、互いに密着する。内側カバー部１５，１５は、基端部２３から長さ方向内方部２５の内方端部３０にかけては、挿入された懐中電灯２１に密着することから、相対的に懐中電灯２１は固定され、固定された状態において懐中電灯２１を振って使用しても携帯型照明装置用装飾具１０は抜け落ちない。
【００５７】
また、長さ方向内方部２５の内方端部３０側においては、カバー部本体１７の重量が加わり、振って使用した場合には折れ曲がり易い。しかしながら、長さ方向内方部２５は、開口部１３端縁の幅寸法よりも、内方に向かって徐々に大きい幅寸法に形成されているため、一対の空隙部に空気が充填されて筒状に形成された際には、長さ方向内方部２５は内方端部３０に向って径大に形成され、長さ方向内方部２５から先端部２６までの重量をより大きい断面積で支えることができるため、カバー部本体１７が長さ方向内方部２５において折れ曲がることを抑制できる。
【００５８】
図４に示すように、発光部３３を点灯させることにより、光は、青色に着色を施した透光性を有する軟質樹脂シートにより形成された長さ方向内方部２５を通じることにより、青色の光へと変化する。青色の光は、先端部２６方向へと進行していく過程で、徐々に径が小さくなるように形成されたすり硝子状の外側カバー部１６に入光し、カバー部本体１７の外方へと散乱して放射される。
【００５９】
従って、外側カバー部１６の長さ方向内方部２５から先端部２６まで全体を青色に発光させることができ、例えば、手持ちの懐中電灯２１を刀剣状の玩具のように装飾することもできる。
【００６０】
前記実施の形態においては、連通孔部２２は、内側カバー部１５の先端部２６に円形に形成されている例を説明したが、これに限定されることはなく、内側カバー部１５の幅方向の一方あるいは両端に形成されても良く、形状については例えば、スリット状であっても良い。
【００６１】
以下、本考案に係る携帯型照明装置用装飾具を第二の実施の形態に基づき、図面を参照して詳細に説明する。なお、同一部材については、同一の符号を付して説明を省略する。
【００６２】
図５に示すように、携帯型照明装置用装飾具４０は、内側カバー部（図示せず）及び外側カバー部４２を形成する軟質樹脂シート４５，４５，４５，４５は、平面長楕円形状に形成されている。本実施の形態においては、内側カバー部を形成する軟質樹脂シート４５，４５は透明の軟質樹脂シートにより形成されている。
【００６３】
開口部１３は、内側カバー部（図示せず）及び外側カバー部４２の基端部４３に形成されていると共に、前記空気孔部１８及び前記栓部１９は外側カバー部４２の一方の側面４４の前記基端部４３側に形成されており、空気を吹き込まれた場合には、カバー部本体４１は全体略紡錘形状に形成される。
【００６４】
図５に示すように、本実施の形態においては、携帯型照明装置用装飾具４０開口部１３より、棒状の発光部を備えたペンライト４６が挿入されている。
【００６５】
携帯型照明装置用装飾具４０内方には、長さ方向に沿ってペンライト４６の棒状発光部（図示せず）が挿入されており、点灯することにより、カバー部本体４１全体が発光する。
【産業上の利用可能性】
【００６６】
本考案に係る携帯型照明装置用装飾具は、例えば応援具として製造販売し、利用することができるため、産業上利用可能性を有している。
【符号の説明】
【００６７】
１０    携帯型照明装置用装飾具
１１    軟質樹脂シート
１２    長さ方向一端部
１３    開口部
１４    周縁
１５    内側カバー部
１６    外側カバー部
１７    カバー部本体
１８    空気孔部
１９    栓部
２０    空隙部
２１    携帯型照明装置（懐中電灯）
２２    連通孔部
２３    基端部
２４    一方の側面
２５    長さ方向内方部
２６    先端部
２７    周縁部
２８    空気孔部基端部
２９    つまみ部
３０    内方端部
３３    発光部
３５    本体部
３６    本体部
４０    携帯型照明装置用装飾具
４１    カバー部本体
４２    外側カバー部
４３    基端部
４４    一方の側面
４５    軟質樹脂シート
４６    ペンライト
【図１】
0003198483.tif 000003
【図２】
0003198483.tif 000004
【図３】
0003198483.tif 000005
【図４】
0003198483.tif 000006
【図５】
0003198483.tif 000007